(57)【要約】【課題】プロジェクタを移動した場合でも、コストを掛けることなく、各種補正量の設定操作に係る手間を軽減することができるプロジェクタを得る。【解決手段】少なくとも操作信号に応じた補正量の情報が供給され、当該補正量の情報に基いて入力映像信号を補正して投写映像用の映像信号を生成する映像信号処理部３２と、記憶部４５と、第１の操作信号が入力したとき、その時の補正量の情報を記憶部４５に記憶させ、第２の操作信号の入力に基いて、記憶部４５に記憶された補正量の情報を、操作信号に応じた補正量の情報に代えて、映像信号入力部３２に供給する制御部２０とを備えた。【選択図】図１
2008112035.tif 000002
【特許請求の範囲】
【請求項１】
少なくとも操作信号に応じた補正量の情報が供給され、当該補正量の情報に基いて入力映像信号を補正して投写映像用の映像信号を生成する映像信号処理部と、
記憶部と、
第１の操作信号が入力したとき、その時の前記補正量の情報を前記記憶部に記憶させ、
第２の操作信号の入力に基いて、前記記憶部に記憶された前記補正量の情報を、前記操作信号に応じた補正量の情報に代えて、前記映像信号入力部に供給する制御部と
を備えたことを特徴とするプロジェクタ。
【請求項２】
前記記憶部は、使用場所に対する前記補正量の情報が複数組み記憶されることを特徴とする請求項１記載のプロジェクタ。
【請求項３】
前記使用場所に応じた情報を表示する表示手段を備え、
前記制御部は、
前記第２の操作信号の入力に基いて、使用場所を選択させるための情報を前記表示手段に表示させ、使用場所選択操作の操作信号が入力したとき、前記記憶部に記憶された当該使用場所に対する前記補正量の情報を、前記操作信号に応じた補正量の情報に代えて、前記映像信号処理部に供給することを特徴とする請求項２記載のプロジェクタ。
【請求項４】
前記制御部は、
前記第１の操作信号が入力したとき、その時の前記操作信号に応じた補正量の情報を、選択された前記使用場所に対応する前記補正量の情報として前記記憶部に記憶させることを特徴とする請求項３記載のプロジェクタ。
【請求項５】
キー操作に応じた操作信号を前記制御部に入力する操作信号処理部を備え、
前記制御部は、
前記第１の操作信号を、前記操作信号処理部から入力された補正量記憶操作又は電源オフ操作の操作信号とすることを特徴とする請求項１〜４の何れかに記載のプロジェクタ。
【請求項６】
キー操作に応じた操作信号を前記制御部に入力する操作信号処理部を備え、
前記制御部は、
前記第２の操作信号を、前記操作信号処理部から入力された補正量読み出し操作の操作信号とすることを特徴とする請求項１〜５の何れかに記載のプロジェクタ。
【請求項７】
前記制御部は、台形歪補正量、ズーム量、フォーカス量、色の濃さ、色合い、輝度、シャープネス、コントラスト、カラーモード、のうち少なくとも１以上の補正量を前記補正量の情報として前記記憶部に記憶させ又は前記映像信号処理部に供給することを特徴とする請求項１〜６の何れかに記載のプロジェクタ。
【発明の詳細な説明】
【技術分野】
【０００１】
本発明は、プロジェクタに関し、特に、映像信号の補正に関する。
【背景技術】
【０００２】
従来のプロジェクタとしては、例えば、「あおり投写した画像の台形歪み補正を行うプロジェクタであって、画像を投写するために必要となるユーザ操作を検出する操作検出部と、前記プロジェクタの設置角度を検出する角度検出部と、前記ユーザ操作を検出した場合に、前記設置角度に応じて前記台形歪み補正を行う画像補正部と、を備える」ものが提案されている（例えば、特許文献１参照）。
【０００３】
【特許文献１】特開２００３−２８３９６３号公報（請求項１）
【発明の開示】
【発明が解決しようとする課題】
【０００４】
プロジェクタには、可搬性を有し、様々な場所へ移動可能なものもある。このような移動可能なプロジェクタの場合、様々な場所で用いられるが、プロジェクタの設置環境は、その場所毎に異なることになる。例えば、プロジェクタを設置する部屋毎に、スクリーンの位置、照明の明るさ、設置可能な場所などが異なる。このようにプロジェクタを様々な場所で用いる場合、その使用場所毎に、台形補正量、フォーカス量、色合い、又はコントラストなどの補正量を、その設置環境に合うように設定する必要がある。
【０００５】
しかしながら、従来のプロジェクタは、ユーザの操作によってスクリーン上にメニュー画面を表示させ、ユーザはそれを見ながらリモコン等を操作して、各種補正量の設定パラメータなどを入力し、各種補正量の設定操作を行うため、プロジェクタを様々な使用場所に移動して用いる場合、使用場所毎にユーザが手作業で設定パラメータなどを入力する必要があるため、非常に手間と時間がかかり、ユーザに多大な負担を与える、という問題点があった。
【０００６】
また近年では、プロジェクタの設置角度を検出して自動的に台形歪を補正するものや、投写された映像を撮像して、自動的にフォーカス量を調整するものなどが提案されているが、設定角度を検出するセンサや、投写映像を撮像するＣＣＤなどが必要になり、コストアップになる、という問題点があった。
【０００７】
本発明は、このような問題点を解決するためになされたものであり、プロジェクタを移動した場合でも、コストアップを避けつつ、各種補正量の設定操作に係る手間を軽減することができるプロジェクタを得ることを目的とする。
【課題を解決するための手段】
【０００８】
本発明に係るプロジェクタは、少なくとも操作信号に応じた補正量の情報が供給され、当該補正量の情報に基いて入力映像信号を補正して投写映像用の映像信号を生成する映像信号処理部と、記憶部と、第１の操作信号が入力したとき、その時の前記補正量の情報を前記記憶部に記憶させ、第２の操作信号の入力に基いて、前記記憶部に記憶された前記補正量の情報を、前記操作信号に応じた補正量の情報に代えて、前記映像信号入力部に供給する制御部とを備えたものである。
本発明においては、記憶部に記憶された補正量の情報を、操作信号に応じた補正量の情報に代えて映像信号入力部に供給しており、このため、ユーザによる各種補正量の設定操作に係る手間を軽減することができる。また、従来のプロジェクタのように、設定操作に係る手間を軽減するために角度を検出するセンサなどを必要としないので、コストアップを避けることができる。
【０００９】
本発明に係るプロジェクタにおいては、前記記憶部は、使用場所に対する前記補正量の情報が複数組み記憶される。
本発明においては、プロジェクタを使用する使用場所に対する所定の補正量が複数組み記憶される。このため、プロジェクタを移動した場合に、複数の使用場所における補正量を記憶させることができる。
【００１０】
本発明に係るプロジェクタは、前記使用場所に応じた情報を表示する表示手段を備え、前記制御部は、前記第２の操作信号の入力に基いて、使用場所を選択させるための情報を前記表示手段に表示させ、使用場所選択操作の操作信号が入力したとき、前記記憶部に記憶された当該使用場所に対する前記補正量の情報を、前記操作信号に応じた補正量の情報に代えて、前記映像信号処理部に供給する。
本発明においては、第２の操作信号の入力に基いて、使用場所を選択させるための情報を表示させ、使用場所選択操作により選択された使用場所に対する補正量の情報が入力したとき、記憶部に記憶された補正量の情報を、操作信号に応じた補正量の情報に代えて映像信号入力部に供給しており、このため、プロジェクタを移動した場合でも、ユーザによる各種補正量の設定操作に係る手間を軽減することができる。
【００１１】
本発明に係るプロジェクタにおいては、前記制御部は、前記第１の操作信号が入力したとき、その時の前記操作信号に応じた補正量の情報を、選択された前記使用場所に対応する前記補正量の情報として前記記憶部に記憶させる。本発明においては、第１の操作信号が入力したとき、その時の前記操作信号に応じた補正量の情報を、選択された使用場所に対する補正量の情報として記憶部に記憶させており、このため、ユーザのキー操作に応じて補正した補正量の情報を選択された使用場所に対応させて記憶することができる。
【００１２】
本発明に係るプロジェクタにおいては、キー操作に応じた操作信号を前記制御部に入力する操作信号処理部を備え、前記制御部は、前記第１の操作信号を、前記操作信号処理部から入力された補正量記憶操作又は電源オフ操作の操作信号とする。
本発明においては、補正量記憶操作又は電源オフ操作がされたとき、その時の前記操作信号に応じた補正量の情報を、補正量の情報として記憶部に記憶させており、このため、ユーザのキー操作に応じて補正した補正量の情報を、補正量記憶操作又は電源オフ操作がされたときに記憶することができる。
【００１３】
本発明に係るプロジェクタにおいては、キー操作に応じた操作信号を前記制御部に入力する操作信号処理部を備え、前記制御部は、前記第２の操作信号を、前記操作信号処理部から入力された補正量読み出し操作の操作信号とする。
本発明においては、補正量読み出し操作の制御信号が入力されたとき、記憶部に記憶された補正量の情報を、操作信号に応じた補正量の情報に代えて映像信号入力部に供給しており、このため、ユーザによる各種補正量の設定操作に係る手間を軽減することができる。
【００１４】
本発明に係るプロジェクタにおいては、前記制御部は、台形歪補正量、ズーム量、フォーカス量、色の濃さ、色合い、輝度、シャープネス、コントラスト、カラーモード、のうち少なくとも１以上の補正量を前記補正量の情報として前記記憶部に記憶させ又は映像信号処理部に供給する。
【発明を実施するための最良の形態】
【００１５】
実施の形態１．
図１は実施の形態１に係るプロジェクタの構成を示すブロック図、図２は実施の形態１に係る操作パネルの構成を示す図である。図に示すように、プロジェクタ１は、光源１１と、液晶ライトバルブ１２Ｒ，１２Ｇ，１２Ｂ（以下、区別しない場合は単に「液晶ライトバルブ１２」という）と、投写光学系１３と、液晶ライトバルブ駆動部１４と、制御部２０と、映像信号処理部３２と、フレームメモリ３３と、フォーカス制御部４１と、ズーム制御部４２と、操作信号処理部４３と、操作パネル４４と、記憶部４５とを備えている。また、映像信号処理部３２には、ＯＳＤ（オンスクリーンディスプレイ）処理部３２０と、台形歪補正部３２１とを有し、制御部２０には、演算部２１を有している。さらに、操作パネル４４には、電源キー４４１、台形補正キー４４２、フォーカスキー４４３、ズームキー４４４、メニューキー４４５、選択キー４４６、補正記憶キー４４７を有している。このプロジェクタ１は、可搬性を有し、外部の映像供給装置ＰＣから供給される入力映像信号に応じた映像光を投射して、スクリーン、白壁又はホワイトボード等の被投写体（以下、これらをスクリーンＳＣと称する）に拡大投写するものである。
【００１６】
制御部２０は、映像信号処理部３２、フォーカス制御部４１、ズーム制御部４２、操作信号処理部４３及び記憶部４５と接続され、この制御部２０は、マイクロプロセッサ等により構成し、記憶部４５に記憶された制御プログラム等を実行して、プロジェクタ１の動作を統括制御し、制御部２０に接続された各部から入力される各種データを演算部２１により演算するとともに、演算結果を前記各部に出力する。また、操作信号処理部４３からのキー操作に応じた操作信号（後述）に基づき、入力映像信号による映像を補正する補正量の情報を、映像信号処理部３２、フォーカス制御部４１又はズーム制御部４２へ出力する。さらに、制御部２０は、後述する動作により、補正量読み出し処理及び補正量記憶処理を行う。
【００１７】
映像入力部３１は、外部の映像供給装置ＰＣからの入力映像信号を取り込んで、それが例えばアナログ映像信号の場合にはデジタルの映像信号に変換する等の処理をし、映像信号処理部３２に出力する。
【００１８】
映像信号処理部３２には、フレームメモリ３３が接続されており、この映像信号処理部３２は、マイクロプロセッサ等により構成し当該映像信号処理部３２に格納したプログラムを実行することにより、映像入力部３１からの映像信号を１フレーム（１画面）毎にフレームメモリ３３に記憶させると共に、フレームメモリ３３に記憶された映像（以下、フレーム映像ともいう）を読み出す機能を有し、映像信号の解像度を液晶ライトバルブ１２の解像度に合わせる解像度変換や、制御部２０から入力された操作信号（後述）に応じた補正量の情報に基づいて、色の濃さ、色合い、輝度、シャープネス、コントラスト、カラーモードなどの各種映像処理を施してデジタルの映像データを生成することにより、入力された映像信号を変換して投写映像用の映像信号である映像データを生成する。尚、供給される映像信号としては、例えば、パーソナルコンピュータから出力されたコンピュータ映像を表すＲＧＢ信号や、ビデオレコーダやテレビジョン受信機から出力された動画を表すコンポジット映像信号などの映像信号が供給される。
【００１９】
また、映像信号処理部３２のＯＳＤ処理部３２０は、制御部２０からの命令に従って、プロジェクタ１の各種状態を表す文字や記号、画質調整等を行う際のメニュー映像、台形歪補正量の表示や、後述する使用場所を選択させるための情報である使用場所選択画面などのＯＳＤ映像信号と、入力された映像信号とを合成して映像データを生成する。尚、ＯＳＤ映像を表示しない場合には、上記合成処理を行わず、フレームメモリ３３から読み出したフレーム映像が、そのまま映像データとして液晶ライトバルブ駆動部１４に供給される。
【００２０】
また、映像信号処理部３２の台形歪補正部３２１は、スクリーンＳＣの投写面に対してプロジェクタ１から射出される投写光を傾けた状態で投写（あおり投写）した場合に生じる台形歪を是正するために、制御部２０から与えられた補正量に応じて、入力された映像データの補正を行い、補正した映像データを液晶ライトバルブ駆動部１４に出力する。尚、台形歪が生じていない場合には、前記補正を行わず、映像信号処理部３２から出力された映像データがそのまま液晶ライトバルブ駆動部１４に供給される。
【００２１】
液晶ライトバルブ駆動部１４は、入力された映像データに応じて、液晶ライトバルブ１２を駆動する。液晶ライトバルブ１２は、３枚の液晶ライトバルブ１２Ｒ，１２Ｇ，１２Ｂから構成され、それぞれ、複数の画素（図示せず）がマトリクス状に形成されており、液晶ライトバルブ駆動部１４により各画素の透過率が調整されることにより、光源１１から射出され、色光分離光学系（図示せず）によって各色光に分離された、Ｒ（赤）、Ｇ（緑），Ｂ（青）の各色光を対応する液晶ライトバルブ１２Ｒ，１２Ｇ，１２Ｂによって変調する。液晶ライトバルブ１２Ｒ，１２Ｇ，１２Ｂから射出される映像光は、クロスダイクロイックプリズム（図示せず）などの合成光学系により合成され投写光学系１３によってスクリーンＳＣ上に拡大投写される。また、投写光学系１３には、投写光の焦点を変更可能なフォーカス機構と、投写光の拡大率を変更可能なズーム機構とが備えられている。
【００２２】
フォーカス制御部４１は、制御部２０から入力された補正量の情報であるフォーカス量の情報に従って、投写光学系１３のフォーカス機構を構成するフォーカスレンズを光軸方向に移動させることにより、フォーカス状態を調整することが可能になっている。また、フォーカス制御部４１は、フォーカスの調整量、即ちフォーカスレンズの移動量（フォーカス量）を検知することも可能になっており、検知したフォーカス量を制御部２０に出力することができる。
【００２３】
ズーム制御部４２は、制御部２０から入力された補正量の情報であるズーム量の情報に従って、投写光学系１３のズーム機構を構成するズームレンズを光軸方向に移動させて焦点距離を変更することにより、スクリーンＳＣ上に表示される映像の拡大率を変更することが可能になっている。また、ズーム制御部４２は、焦点距離、即ちズームレンズの移動量（ズーム量）を検知するズーム量検知部としても機能し、検知したズーム量を制御部２０に出力することができる。
【００２４】
操作パネル４４は、図２に示すように、プロジェクタ１の電源オン／オフ操作を行う電源キー４４１、台形歪の補正方向に応じた操作を行う台形補正キー４４２、フォーカス調整の操作を行うフォーカスキー４４３、ズーム調整の操作を行うズームキー４４４、画質調整等の操作を行うメニュー映像を表示させるメニューキー４４５、メニュー映像での項目選択や、後述する使用場所の選択操作、補正量記憶操作を行う選択キー４４６、後述する補正量記憶処理を行う補正記憶キー４４７、及びプロジェクタ１の状態変更等を行うための各種スイッチ類を有し、ユーザによるキー操作に応じた操作信号を操作信号処理部４３に出力する。また、リモートコントローラ（以下、単に「リモコン」と呼ぶ）ＲＣは、プロジェクタ１の状態変更等を行うための各種スイッチ類を有し、ユーザによるキー操作に応じた操作信号を操作信号処理部４３に出力する。
操作信号処理部４３は、操作パネル４４又はリモコンＲＣからのキー操作に応じた操作信号を受信し、これを制御部２０に出力する。
【００２５】
記憶部４５は、例えばＥＥＰＲＯＭなどの不揮発性メモリにより構成され、制御部２０が実行する制御プログラム、ＯＳＤ映像を生成するためのＯＳＤ映像データが記憶されている。また、記憶部４５は、プロジェクタ１の各種設定値等の情報、後述する使用場所に対する補正量の情報が複数組み記憶される。
【００２６】
尚、映像信号処理部３２、ＯＳＤ処理部３２０及び台形歪補正部３２１は本発明における映像信号処理部に相当し、制御部２０及び演算部２１は本発明における制御部に相当し、液晶ライトバルブ駆動部１４、液晶ライトバルブ１２及び投写光学系１３は本発明における表示手段に相当する。
【００２７】
このような構成による、本実施の形態１における動作を、使用場所に応じた補正量を読み出す（１）補正量読み出し動作と、使用場所に対する補正量を記憶させる（２）補正量記憶動作とに分けて次に説明する。
【００２８】
（１）補正量読み出し動作
図３は実施の形態１に係る補正量読み出し動作を示すフローチャート、図４は実施の形態１に係る使用場所の選択表示を示す図である。補正量読み出し動作を図３に基づき、図４を参照しながら以下に説明する。
ユーザにより電源キー４４１がオン操作されると、操作信号処理部４３は、電源オンの操作信号と共に、第２の操作信号である補正量読み出し操作の操作信号を制御部２０へ出力する。制御部２０は、電源ＯＮ処理を行うと共に、補正量読み出し動作を開始し（Ｓ１０１）、記憶部４５に記録された使用場所選択画面に関するＯＳＤ映像データを読み出し、映像信号処理部３２へ入力する。映像信号処理部３２は、図４に示すように、使用場所を選択させるための情報を表示する使用場所選択画面のＯＳＤ映像信号と入力映像信号とを合成した映像データを生成して液晶ライトバルブ駆動部１４へ出力する。この映像データによる映像は、液晶ライトバルブ１２、投写光学系１３を介してスクリーンＳＣに投写される（Ｓ１０２）。ここで、使用場所とは、プロジェクタを移動させて様々な場所で用いる場合に、その設置場所における各種補正量を記憶又は読み出しを行うための識別情報である。
【００２９】
制御部２０は、選択キー４４６による使用場所選択操作がされるまで待機し（Ｓ１０３）、ユーザにより、補正量読み出しを行う使用場所に応じた選択キー４４６が操作されると、操作信号処理部４３は、使用場所選択操作に応じた操作信号を受信し、この操作信号を制御部２０へ入力する。制御部２０は、入力された操作信号により、選択された使用場所を識別すると共に、この選択された使用場所の情報を記憶部４５に記憶させる（Ｓ１０４）。
次に、制御部２０は、選択された使用場所に対する補正量が記憶部４５に記憶されているか否かを判断し（Ｓ１０５）、選択された使用場所に対する補正量が記憶されていない場合は、補正量読み出し動作を終了する（Ｓ１０７）。
一方、選択された使用場所に対する補正量が記憶されている場合は、当該使用場所に対する補正量の情報を読み出し、この補正量の情報を、操作信号に応じた補正量の情報に代えて、映像信号処理部３２に供給して当該補正量に応じた補正処理を実行させ（Ｓ１０６）、補正量読み出し動作を終了する（Ｓ１０７）。映像信号処理部３２は、入力された補正量の情報に基いて、色の濃さ、色合い、輝度、シャープネス、コントラスト、カラーモードなどの各種映像処理、又は台形歪補正部３２１より台形歪を是正するための補正を行い、補正した映像データを液晶ライトバルブ駆動部１４へ出力する。
このような動作により、記憶部４５に記憶された補正量に基づき補正された映像データは、液晶ライトバルブ駆動部１４へ入力され、液晶ライトバルブ駆動部１４は、入力された映像データに応じて、液晶ライトバルブ１２を駆動する。液晶ライトバルブ１２は、液晶ライトバルブ駆動部１４により各画素の透過率が調整されることにより、光源１１の光を変調して映像光を射出する。この映像光は、投写光学系１３を介してスクリーンＳＣに投射され、投写映像が拡大投写される。
【００３０】
（２）補正量記憶動作
図５は実施の形態１に係る補正量記憶動作を示すフローチャートである。補正量記憶動作を図５に基づき、以下に説明する。
制御部２０は、ユーザにより電源キー４４１がオフ操作されると第１の操作信号である電源オフ操作の操作信号が入力され、補正量記憶操作を開始する（Ｓ２０１）。制御部２０は、操作信号に応じた補正量の情報を映像信号処理部３２に供給したか否かを判断する（Ｓ２０２）。補正量の情報を供給していない場合は、入力映像信号による映像が補正されていないとして補正量記憶動作を終了して電源オフ処理へ移行する（Ｓ２０５）。
【００３１】
一方、補正量の情報を供給している場合、入力映像信号による映像が補正されていると判断して、当該補正量が、上記ステップＳ１０４で記憶部４５に記憶した使用場所に対する補正量と同一か否かを判断する（Ｓ２０３）。同一の場合は、当該補正量は記憶されているとして補正量記憶動作を終了し（Ｓ２０５）、同一でない場合は、電源キー４４１がオフ操作された時の当該補正量を現在の使用場所に対する補正量として記憶部４５に記憶させ（Ｓ２０４）、補正量記憶動作を終了して電源オフ処理へ移行する（Ｓ２０５）。
【００３２】
以上のように本実施の形態１においては、電源オフ操作がされたとき、映像信号処理部へ出力した入力映像信号による映像を補正する補正量の情報を、当該使用場所に対する補正量として記憶し、電源オン操作がされたとき、選択された使用場所に対する補正量の情報を読み出して、この補正量の情報に基づき入力映像信号による映像を補正することにより、プロジェクタを移動した場合であっても、使用場所に応じた補正量の情報を読み出して補正量を設定することができ、ユーザによる各種補正量の設定操作に係る手間を軽減することができる。
【００３３】
尚、上記説明では、電源キー４４１のオン操作により（１）補正量読み出し動作を開始させ、電源キー４４１のオフ操作により（２）補正量記憶動作を開始させたが、これに限らず、メニューキー４４４及び選択キー４４６の操作によるメニュー映像の項目選択により動作を開始させても良く、また、操作パネル４４の任意のキー操作がされたときに動作を開始させても良い。
【００３４】
実施の形態２．
本実施の形態２においては、上記実施の形態１の動作に加え、第１の操作信号として補正記憶キー４４７の補正量記憶操作により補正量記憶動作を行う。尚、その他の動作及び構成は実施の形態１と同様である。
【００３５】
図６は実施の形態２に係る補正量記憶動作を示すフローチャート、図７は実施の形態２に係る使用場所の選択表示を示す図である。本実施の形態２における補正量記憶動作を図６に基づき、図７を参照しながら以下に説明する。
ユーザにより補正記憶キー４４７が操作されると、操作信号処理部４３は、第１の操作信号である補正量記憶操作の操作信号を制御部２０へ出力する。制御部２０は、補正量記憶操作の操作信号が入力されると補正量記憶動作を開始し（Ｓ３０１）、記憶部４５に記録された使用場所選択画面に関するＯＳＤ映像データを読み出し、映像信号処理部３２へ入力する。映像信号処理部３２は、図７に示すように、使用場所を選択させるための情報を表示する使用場所選択画面のＯＳＤ映像信号と入力映像信号とを合成した映像データを生成して液晶ライトバルブ駆動部１４へ出力する。この映像データによる映像は、液晶ライトバルブ１２、投写光学系１３を介してスクリーンＳＣに投写される（Ｓ３０２）。制御部２０は、選択キー４４６による使用場所選択操作がされるまで待機し（Ｓ３０３）、ユーザにより、補正量を記憶させる使用場所に応じた選択キー４４６が操作されると、操作信号処理部４３は、使用場所選択操作に応じた操作信号を受信し、この操作信号を制御部２０へ入力する。制御部２０は、入力された操作信号により、選択された使用場所を識別する。
【００３６】
次に、制御部２０は、操作信号に応じた補正量の情報を映像信号処理部３２に供給したか否かを判断する（Ｓ３０４）。補正量の情報を供給していない場合は、入力映像信号による映像が補正されていないとして補正量記憶動作を終了する（Ｓ３０７）。
一方、補正量の情報を供給している場合、入力映像信号による映像が補正されていると判断して、当該補正量が、選択された使用場所に対する補正量と同一か否かを判断する（Ｓ３０６）。同一の場合は、当該補正量は記憶されているとして補正量記憶動作を終了し（Ｓ３０７）、同一でない場合は、補正記憶キー４４７が操作された時の当該補正量を現在の使用場所に対する補正量として記憶部４５に記憶させ（Ｓ３０６）、補正量記憶動作を終了する（Ｓ３０７）。
【００３７】
以上のように本実施の形態２においては、上記実施の形態１の効果に加え、補正記憶キー４４７の操作により補正量記憶動作を開始させることにより、電源オン状態においても任意のタイミングで補正量記憶動作を開始させることができる。
また、補正量記憶動作において、選択キー４４６の操作により選択された使用場所に補正量を記憶させることにより、電源オン時の補正量読み出し動作で選択した使用場所とは異なる任意の使用場所に、当該補正量を記憶させることができる。
【００３８】
尚、上記実施の形態１及び２では、使用場所に応じた情報を表示する表示手段として、ＯＳＤ映像を用いてスクリーンＳＣに使用場所の選択表示をさせたが、これに限らず、使用場所に応じた情報を表示するもので良く、例えばプロジェクタ１本体に、使用場所に対応するＬＥＤを設けて、使用場所の選択及び識別を行っても良い。
【００３９】
また、上記実施の形態１及び２では、操作パネル４４のキー操作による動作について説明したが、本発明はこれに限らず、リモコンＲＣに同様の操作キーを設けて操作信号を操作信号処理部４３に送信しても良い。
【００４０】
また、上記実施の形態１及び２では、液晶ライトバルブ１２を用いて、光源１１から射出された光を変調したが、本発明はこれに限らず、他の空間光変調器を用いても良く、例えば、半導体基板の上に敷き詰められた微小面積のミラーの傾きを映像データに基いて制御することによって映像を投写するＤＭＤ（Digital Micro Mirror Device ：登録商標）を用いても良い。
【図面の簡単な説明】
【００４１】
【図１】実施の形態１に係るプロジェクタの構成を示すブロック図である。
【図２】実施の形態１に係る操作パネルの構成を示す図である。
【図３】実施の形態１に係る補正量読み出し動作を示すフローチャートである。
【図４】実施の形態１に係る使用場所の選択表示を示す図である。
【図５】実施の形態１に係る補正量記憶動作を示すフローチャートである。
【図６】実施の形態２に係る補正量記憶動作を示すフローチャートである。
【図７】実施の形態２に係る使用場所の選択表示を示す図である。
【符号の説明】
【００４２】
１  プロジェクタ、１１  光源、１２Ｒ  液晶ライトバルブ、１２Ｇ  液晶ライトバルブ、１２Ｂ  液晶ライトバルブ、１３  投写光学系、１４  液晶ライトバルブ駆動部、２０  制御部、２１  演算部、３１  映像入力部、３２  映像信号処理部、３３  フレームメモリ、４１  フォーカス制御部、４２  ズーム制御部、４３  操作信号処理部、４４  操作パネル、４５  記憶部、３２０  ＯＳＤ処理部、３２１  台形歪補正部、４４１  電源キー、４４２  台形補正キー、４４３  フォーカスキー、４４４  ズームキー、４４５  メニューキー、４４６  選択キー、４４７  補正記憶キー、ＳＣ  スクリーン、ＰＣ  映像供給装置、ＲＣ  リモコン。
【図１】
2008112035.tif 000003
【図２】
2008112035.tif 000004
【図３】
2008112035.tif 000005
【図４】
2008112035.tif 000006
【図５】
2008112035.tif 000007
【図６】
2008112035.tif 000008
【図７】
2008112035.tif 000009